【事件の表示】
　特願２００８−１５５８０３「画像形成装置およびその起動制御方法」拒絶査定不服審判事件〔平成２１年１２月２４日出願公開、特開２００９−３００７７７〕について、次のとおり審決する。
【結　論】
　本件審判の請求は、成り立たない。
【理　由】
１　手続の経緯　
　本願は、平成２０年６月１３日の出願であって、平成２４年９月７日及び同年１２月２６日付けで手続補正がなされ、平成２５年２月２８日付けで拒絶査定がなされ、これに対して、同年６月３日付けで拒絶査定不服審判請求がなされたものである。
　
２　本願発明
　本願の請求項１ないし４に係る発明は、平成２４年１２月２６日付けで補正された特許請求の範囲の請求項１ないし４に記載された事項によりそれぞれ特定されるものであるところ、その請求項１に記載に係る発明は、平成２４年１２月２６日付け補正後の明細書、特許請求の範囲及び図面の記載からみて、その特許請求の範囲の請求項１の記載されたとおりの次のものと認める。
　
「電子写真プロセスによって記録媒体に画像を形成する画像形成装置であって、
　当該画像形成装置の全体的な制御を行うものであって、主電源スイッチがオンしたときにブ−トプログラムの実行を開始するＣＰＵと、
　前記主電源スイッチがオンして電源の供給を受けたときに当該画像形成装置の起動制御を行う許可信号制御手段と、
　ファームウェアのダウンロード用のメモリモジュールを装着するためのメモリ装着口と、
　前記メモリモジュールが前記メモリ装着口に装着されている場合にモジュール装着信号を出力するセンサと、を有し、
　前記許可信号制御手段は、
　前記メモリモジュールが前記メモリスロットに装着されていないこと、当該画像形成装置がトラブル状態でないこと、および、ＤＣ電源装置がオフになっていないこと、のいずれもが真であることを起動開始条件として、当該起動開始条件が整った状態となったか否かを判断する起動モード判別手段と、
　前記起動開始条件が整った状態となったときに定着器の加熱を含む前記電子写真プロセスのための準備動作を開始させる起動許可信号を出力し、前記ＣＰＵによるブ−トプログラムの実行が完了しかつ前記電子写真プロセスのための準備動作が完了したときに当該画像形成装置の起動が完了したとして前記記録媒体への画像の形成のための駆動を可能とする駆動許可信号を出力する許可信号生成手段と、を有する、
　ことを特徴とする画像形成装置。」（以下「本願発明」という。）
　
３　刊行物の記載事項
（１）原査定の拒絶の理由に引用された「本願の出願前に頒布された刊行物である特開平１０−２１３９９７号公報（以下「引用例１」という。）」には、図とともに以下の事項が記載されている（下線は審決で付した。）。
　ア　「【０００１】
【発明が属する技術分野】この発明は、
プログラムの変更やバージョンアップを行うプログラムの書換え動作中の制御不能による誤動作を回避する複写装置
【０００２】
【従来の技術】
従来、複写装置では、電源オフ時にも記憶内容を保持し、かつこの記憶内容を書換えることが出来るフラッシュ記憶素子（ＲＯＭ）を用いて、装置の設置後にプログラムの変更やバージョンアップによるプログラム変更（以下「新たなプログラムへの変更」と言う）が行われている
このプログラムの変更では、新たなプログラムを格納したＩＣカードを、装置内のメイン制御基板に設けたコネクタに装着して
、ＩＣカードに格納している新たなプログラムを、ＣＰＵの制御でダウンロードし、かつ、フラッシュＲＯＭへ転送（以下「プログラムの書換え動作中」と言う）して、従来のプログラムを新たなプログラムに変更する書換えを行っている
【０００３】ところで
このようなプログラムの書換え動作中にＣＰＵが誤動作することがあ
最悪の場合はＣＰＵが暴走して制御不能状態になることがある
すなわちメイン制御基板のコネクタにＩＣカードを装着した場合、このＩＣカードに格納しているプログラムで動作しており、ＩＣカードのピンとコネクタのコンタクトが塵芥や作業者での装着時の静電気で非接触状態が生じて制御不能状態が発生する。この結果、例えば定着ヒータへ必要以上に通電が行われて過熱
感光体駆動装置
することが考えられる
【０００４】
【発明が解決しようとする課題】前記のように
従来の複写装置では、ＩＣカードに格納した新たなプログラムへ変更する際のプログラムの書替え動作中に、ＣＰＵが暴走した制御不能状態での誤動作が発生するという問題
【０００５】そこで、この発明の
目的は、ＩＣカードなどの外部記憶装置又は記憶素子をコネクタに接続して新たなプログラムへ変更する際のプログラムの書換え動作中における制御不能状態による定着ヒータ
などの誤動作を確実に阻止できる複写装置
【０００６】
【課題を解決するための手段】前記の目的を達成するために、請求項１に記載の発明は、
外部の記憶手段から内部のプログラム格納用記憶手段にプログラムを転送することが可能であり、定着ヒータ及び前記定着ヒータへ電源供給を行う電源部を備える複写装置において、前記外部の記憶手段を接続した際は、前記電源部から定着ヒータへの通電を停止すること
【０００７】請求項２に記載の発明は、外部の記憶手段から内部のプログラム格納用記憶手段にプログラムを転送することが可能であり、定着ヒータ及び前記定着ヒータへ電源供給を行う電源部を備える複写装置において、前記外部の記憶手段を接続した際は、負荷駆動用の電源部からの通電を停止することを特徴とするものである。
【０００８】前記のような請求項１，２に記載の発明は、外部記憶媒体を装着したプログラムの書換え動作中に、定着ヒータ又は駆動機構などのモータへの通電を停止している。したがって制御手段での制御不能状態、例えば従来の技術で説明したように、外部記憶媒体を接続した際の非接触状態や静電気で制御手段が暴走した制御不能状態でも定着ヒータへの通電が行われずに、その過熱が阻止され、また駆動機構などのモータへの通電が行われることなく、モータが誤回転動作せずに、その安全性が向上する。」
　
　イ　「【０００９】
【発明の実施の形態】次に、この発明の複写装置の実施の形態を図面に基づいて詳細に説明する。図１はこの発明の第１実施形態を示す回路図であり、図２は図１のものがメイン制御基板に実装される際の構成と、そのＩＣカードの着脱を説明するための模式図である。図１，２に示す構成は、複写装置やプリンタなどの複写装置にあって、転写紙に形成されたトナー像を定着するための定着ヒータの周辺のみを示したものである。
【００１０】図１，２において、この実施形態では、プログラムの変更やバージョンアップを行うための、
新たなプログラムを記憶した外部記憶媒体としての多数のピンを有するＩＣカード１が、多数のコンタクトを設けた着脱接続部としてのコネクタ２に装着されている
このコネクタ２内にはＩＣカード１の挿入時にオンとなるスイッチＳＷ１が設けられている
【００１１】この例では
スイッチＳＷ１の一端が抵抗Ｒを通じて電源ラインと接地間に接続されており、スイッチＳＷ１のオンのＩＣカード１がコネクタ２に装着された際の、抵抗Ｒによる電源ライン電圧（Ｖcc）の降下電圧を、ローレベル（ＩＣカード１の未装着時は抵抗Ｒを通じた電源ラインの電圧であるハイレベル）の入力信号として取込む制御手段としてのＣＰＵ３を有している
このＣＰＵ３は記憶手段としてのフラッシュＲＯＭ４に記憶しているプログラムで動作するが、ＩＣカード１のコネクタ２への装着時のプログラムの書換え動作中は、ＩＣカード１に格納している新たなプログラムで動作するようになっている
【００１２】
また、ＣＰＵ３は２つの出力端から出力信号Ｓ１，Ｓ２を出力し、一方の出力端がアンド（ＡＮＤ）ゲート５の一方の入力端に接続されている。また、このＡＮＤゲート５の他方の入力端がＣＰＵ３の入力端に接続されており、スイッチＳＷ１のオン・オフ（ＩＣカード１のコネクタ２への装着又は取外しに対応）によるハイレベル信号又はローレベル信号が入力される。ＡＮＤゲート５の出力端はスイッチング用のトランジスタＱ１のベースと接続されている。またトランジスタＱ１のエミッタが接地され、コレクタには定着ヒータ７へ通電を行い、又は停止するためのリレースイッチ６の励磁コイル６ａの一端が接続され、この他端が電源ライン（Ｖcc）と接続されている
【００１３】さらに、この実施形態は、
転写紙に形成されたトナー像を定着するための定着ヒータ７への交流（ＡＣ）電圧を供給するための電源部としての交流（ＡＣ）電源８を有している。定着ヒータ７と交流電源８とを接続する一方側には、リレースイッチ６におけるオン・オフ接点６ｂが直列に接続されている。さらに定着ヒータ７と交流電源８とを接続する他方側には、半導体無接点リレー（ＳＳＲ；Solid State ReLay）９が設けられており、このＳＳＲ９はＣＰＵ３の他方の出力端の出力信号Ｓ２によって、交流電源８から定着ヒータ７への交流の供給をオン・オフするトライアックなどのスイッチング素子を有している
【００１４】なお
交流電源８から定着ヒータ７への交流の供給は、定着ヒータ７の発熱が所定値に一定化されるように、出力信号Ｓ２によってＳＳＲ９のオン（通電）時間を制御するものであるが、このための定着ヒータ７の発熱状態に対する検出信号をＣＰＵ３へ送出する感知素子などの回路
【００１５】以下にこの第１実施の形態の動作を説明する。まず
ＩＣカード１がコネクタ２へ装着されない通常時
ＣＰＵ３がフラッシュＲＯＭ４に記憶しているプログラムを読出して実行して動作
スイッチＳＷ１はオフであり、ＣＰＵ３が抵抗Ｒを通じた電源ライン電圧（Ｖcc）のハイレベルの入力信号を取込んで、ＩＣカード１の未装着を認識する
同時にＡＮＤゲート５の一方の入力端もハイレベルに設定され
ＡＮＤゲート５の他方の入力端にもＣＰＵ３からハイレベルの出力信号Ｓ１が入力され
【００１６】
この結果、ＡＮＤゲート５からトランジスタＱ１のベースにハイレベルの信号が出力され、トランジスタＱ１がオン（導通）とな
この導通でリレースイッチ６のオン・オフ接点６ｂがオンとなり、定着ヒータ７へ交流電源８からの交流をオン・オフ接点６ｂとともにＳＳＲ９を通じて供給する
この場合、定着ヒータ７の発熱が所定値に一定化されるように、ＣＰＵ３が出力信号Ｓ２をＳＳＲ９に送出し、その通電時間の制御を行う
【００１７】次に、ＩＣカード１がコネクタ２へ装着されるプログラムの書換え動作について説明する。図３は第１実施形態におけるプログラムの書換え動作の処理を示すフローチャートである。図１から図３において、この第１実施形態のプログラムの書換え動作中は、
まずＣＰＵ３がフラッシュＲＯＭ４に記憶している転送プログラムを読み出して実行して、その制御動作を開始する（Ｓ401）
ＩＣカード１がコネクタ２に装着されるとスイッチＳＷ１がオンになる
ＣＰＵ３は抵抗Ｒが接地された際の電源ライン電圧（Ｖcc）が降下したローレベルの入力信号を取込んで、ＩＣカード１の装着を認識する（Ｓ402）
【００１８】
ＣＰＵ３は現在コピー動作中か否かを判断する（Ｓ403）。コピー動作中でない場合（Ｓ403，Ｎo）、ＡＮＤゲート５の一方の入力端がローレベルに設定され、かつ、ＡＮＤゲート５の他方の入力端にはＣＰＵ３からハイレベルの出力信号Ｓ１が入力される。この結果ＡＮＤゲート５からトランジスタＱ１のベースにローレベルの信号が出力され、トランジスタＱ１がオフ（非導通）となる。この非導通でリレースイッチ６のオン・オフ接点６ｂがオフとなり、定着ヒータ７へ交流電源８からの交流の供給が停止される（Ｓ404）
【００１９】
次にＣＰＵ３はＩＣカード１に格納している新たなプログラムへの変更を行うプログラムの書換え動作（ダウンロード）を開始し、この場合、新たなプログラムによる制御動作を実行する（Ｓ405）
さらにフラッシュＲＯＭ４に転送して、ここに記憶している従来のプログラムを新たなプログラムに変更する書換えを行う（Ｓ406）
この後はＩＣカード１の取外しの指示が
表示器の画面で表示され（Ｓ407）
その取外しを判断して終了となる（Ｓ408，Ｓ409）
プログラムの変更やバージョンアップを行うための新たなプログラムに変更する書換えが終了する
【００２０】
またＳ403のＹesであるコピー動作中の場合、ＣＰＵ３はコピー動作を中断する制御を実行し（Ｓ410）、この後はＩＣカード１の取外しの指示が
表示器の画面で表示され（Ｓ411）てその取外しを判断し、ＩＣカード１が取外された場合に、コピー動作を再開して終了となる（Ｓ412〜Ｓ414）
【００２１】このように、この第１実施形態では、
ＩＣカード１をコネクタ２へ装着してプログラムの書換えを行う際に、定着ヒータ７へ通電が停止される。したがって従来の技術で説明したように、ＣＰＵ３でのプログラムの書換え動作中に誤動作、例えば、ＩＣカード１のピンとコネクタ２のコンタクトが、塵芥や作業者での装着時の静電気で非接触状態になってＣＰＵ３が暴走した際にも、定着ヒータ７への通電が停止されているため、過熱しなくなり、最悪の場合の火災発生などが確実に防止できるようになる
　
　ウ　「【００３５】
【発明の効果】以上の説明から明らかなように、請求項１に記載の発明の複写装置によれば、
外部記憶媒体を装着したプログラムの書換え動作中に定着ヒータ制御手段での制御不能状態が生じた際に定着ヒータへの通電が行われず、その過熱が確実に阻止できるようになって、その安全性が向上する
　
　エ　図１から、スイッチＳＷ１の一端が抵抗Ｒを通じて電源ラインＶｃｃに他端が接地にそれぞれ接続されていること、及び、出力信号Ｓ１の出力端がアンド（ＡＮＤ）ゲート５の一方の入力端に接続されていることが見て取れる。
　
　オ　上記アないしエから、引用例１には、
「外部の記憶手段から内部のプログラム格納用記憶手段にプログラムを転送することが可能であり、定着ヒータ、感光体駆動装置及び前記定着ヒータへ電源供給を行う電源部、を備えた複写装置において、
　従来の複写装置では、電源オフ時にも記憶内容を保持しかつこの記憶内容を書換えることが出来るフラッシュＲＯＭを用いて装置の設置後にプログラムの変更やバージョンアップによるプログラム変更などの新たなプログラムへの変更が行われ、このプログラムの変更では新たなプログラムを格納したＩＣカードを装置内のメイン制御基板に設けたコネクタに装着してＩＣカードに格納している新たなプログラムをＣＰＵの制御でダウンロードしかつフラッシュＲＯＭへ転送するプログラムの書換え動作を行うことにより従来のプログラムを新たなプログラムに変更する書換えを行っていたところ、このようなプログラムの書換え動作中にＣＰＵが誤動作、すなわちメイン制御基板のコネクタにＩＣカードを装着した場合このＩＣカードに格納しているプログラムで動作しておりＩＣカードのピンとコネクタのコンタクトが塵芥や作業者での装着時の静電気で非接触状態が生じて制御不能状態が発生する結果例えば定着ヒータへ必要以上に通電が行われて過熱することがあり最悪の場合はＣＰＵが暴走して制御不能状態になること、が発生するという問題があったので、ＩＣカードなどの外部記憶装置又は記憶素子をコネクタに接続して新たなプログラムへ変更する際のプログラムの書換え動作中における制御不能状態による定着ヒータなどの誤動作を確実に阻止できるようにすることを目的として、
　前記外部の記憶手段を接続した際は、前記電源部から定着ヒータへの通電を停止することにより、プログラムの変更やバージョンアップを行うプログラムの書換え動作中の制御不能による誤動作を回避できるようにした複写装置であって、
　新たなプログラムを記憶した外部記憶媒体としての多数のピンを有するＩＣカード１が多数のコンタクトを設けた着脱接続部としてのコネクタ２に装着されるようになっており、
　このコネクタ２内にはＩＣカード１の挿入時にオンとなるスイッチＳＷ１が設けられており、
　スイッチＳＷ１の一端が抵抗Ｒを通じて電源ラインＶｃｃに他端が接地にそれぞれ接続されており、
　ＩＣカード１の未装着時は抵抗Ｒを通じた電源ラインの電圧Ｖｃｃをハイレベルの入力信号として取込み、スイッチＳＷ１のオンのＩＣカード１がコネクタ２に装着された際の抵抗Ｒによる電源ライン電圧Ｖｃｃの降下電圧をローレベルの入力信号として取込む制御手段としてのＣＰＵ３を有しており、
　このＣＰＵ３は記憶手段としてのフラッシュＲＯＭ４に記憶しているプログラムで動作するが、ＩＣカード１のコネクタ２への装着時のプログラムの書換え動作中はＩＣカード１に格納している新たなプログラムで動作するようになっており、
　また、ＣＰＵ３は２つの出力端から出力信号Ｓ１，Ｓ２を出力し、出力信号Ｓ１の出力端がアンド（ＡＮＤ）ゲート５の一方の入力端に接続されており、
　また、このＡＮＤゲート５の他方の入力端には、ＣＰＵ３の入力端が接続されるとともにＩＣカード１のコネクタ２への装着又は取外しに対応するスイッチＳＷ１のオン・オフによるハイレベル信号又はローレベル信号が入力されており、
　ＡＮＤゲート５の出力端はスイッチング用のトランジスタＱ１のベースと接続されており、
　またトランジスタＱ１は、エミッタが接地され、コレクタには定着ヒータ７へ通電を行い又は停止するためのリレースイッチ６の励磁コイル６ａの一端が接続されており、
　励磁コイル６ａの他端が電源ラインＶｃｃと接続されており、
　転写紙に形成されたトナー像を定着するための定着ヒータ７への交流（ＡＣ）電圧を供給するための電源部としての交流（ＡＣ）電源８を有しており、
　定着ヒータ７と交流電源８とを接続する一対の配線の一方側には、リレースイッチ６におけるオン・オフ接点６ｂが直列に接続されており、
　さらに定着ヒータ７と交流電源８とを接続する一対の配線の他方側には、半導体無接点リレーＳＳＲ９が設けられており、
　この半導体無接点リレーＳＳＲ９は、ＣＰＵ３の他方の出力端の出力信号Ｓ２によって交流電源８から定着ヒータ７への交流の供給をオン・オフするトライアックなどのスイッチング素子を有しており、
　交流電源８から定着ヒータ７への交流の供給は、定着ヒータ７の発熱が所定値に一定化されるように、出力信号Ｓ２によって半導体無接点リレーＳＳＲ９のオン（通電）時間を制御することにより、制御されるのであるが、このための定着ヒータ７の発熱状態に対する検出信号をＣＰＵ３へ送出する感知素子などの回路が設けられており、
　ＣＰＵ３がＳ４０１でフラッシュＲＯＭ４に記憶しているプログラムを読出して実行して動作して、その制御動作を開始するが、
　ＩＣカード１がコネクタ２へ装着されない通常時には、スイッチＳＷ１はオフであるので、ＣＰＵ３が抵抗Ｒを通じた電源ライン電圧Ｖｃｃのハイレベルの入力信号を取込んでＩＣカード１の未装着を認識し、同時にＡＮＤゲート５の一方の入力端もハイレベルに設定され、ＡＮＤゲート５の他方の入力端にもＣＰＵ３がハイレベルの出力信号Ｓ１を入力し、この結果、ＡＮＤゲート５がトランジスタＱ１のベースにハイレベルの信号を出力し、トランジスタＱ１がオン（導通）となり、この導通でリレースイッチ６のオン・オフ接点６ｂがオンとなり、定着ヒータ７へ交流電源８からの交流をオン・オフ接点６ｂとともに半導体無接点リレーＳＳＲ９を通じて供給し、この場合、定着ヒータ７の発熱が所定値に一定化されるようにＣＰＵ３が出力信号Ｓ２を半導体無接点リレーＳＳＲ９に送出しその通電時間の制御を行うようになっており、
　ＩＣカード１がコネクタ２に装着されるとスイッチＳＷ１がオンになるので、ＣＰＵ３は、Ｓ４０２で抵抗Ｒが接地された際の電源ライン電圧Ｖｃｃが降下したローレベルの入力信号を取込んでＩＣカード１の装着を認識し、Ｓ４０３で現在コピー動作中か否かを判断し、コピー動作中でない場合（Ｓ４０３，Ｎｏ）Ｓ４０４に進み、Ｓ４０４で、ＡＮＤゲート５の一方の入力端をローレベルに設定し、かつ、ＡＮＤゲート５の他方の入力端にＣＰＵ３からハイレベルの出力信号Ｓ１を入力する結果ＡＮＤゲート５からトランジスタＱ１のベースにローレベルの信号を出力し、トランジスタＱ１をオフ（非導通）とし、この非導通によりリレースイッチ６のオン・オフ接点６ｂをオフにし、定着ヒータ７へ交流電源８からの交流の供給を停止し、次にＳ４０５に進み、ＣＰＵ３はＳ４０５で、ＩＣカード１に格納している新たなプログラムへの変更を行うプログラムの書換え動作であるダウンロードを開始し、この場合、新たなプログラムによる制御動作を実行し、Ｓ４０６に進み、ＣＰＵ３はさらにＳ４０６で新たなプログラムをフラッシュＲＯＭ４に転送してここに記憶している従来のプログラムを新たなプログラムに変更する書換えを行い、この後はＳ４０７に進み、Ｓ４０７でＩＣカード１の取外しの指示が表示器の画面で表示され、Ｓ４０８、Ｓ４０９と進み、Ｓ４０９でＩＣカード１が取外されたと判断するとプログラムの変更やバージョンアップを行うための新たなプログラムに変更する書換えが終了するので、ＩＣカード１をコネクタ２へ装着してプログラムの書換えを行う際に定着ヒータ７へ通電が停止され、したがって従来の技術のようにＣＰＵ３でのプログラムの書換え動作中に誤動作例えばＩＣカード１のピンとコネクタ２のコンタクトが塵芥や作業者での装着時の静電気で非接触状態になってＣＰＵ３が暴走した際にも定着ヒータ７への通電が停止されているため過熱しなくなり最悪の場合の火災発生などが確実に防止でき、
　また、上記Ｓ４０３でＹｅｓとなるコピー動作中の場合には、Ｓ４１０に進みＣＰＵ３はコピー動作を中断する制御を実行し、この後はＳ４１１に進みＩＣカード１の取外しの指示が表示器の画面で表示されてＳ４１２，Ｓ４１３と進みＳ４１３でＩＣカード１の取外しを判断し、Ｓ４１３でＩＣカード１が取外されたと判断した（Ｓ４１３，Ｙｅｓ）場合にはＳ４１４に進みＳ４１４でコピー動作を再開して終了し、
　外部記憶媒体を装着したプログラムの書換え動作中に定着ヒータ制御手段での制御不能状態が生じた際に定着ヒータへの通電が行われずその過熱が確実に阻止できその安全性が向上した複写装置。」の発明（以下「引用発明１」という。）が記載されているものと認められる。
　
（２）原査定の拒絶の理由に引用された「本願の出願前に頒布された刊行物である特開２００５−２０２３５５号公報（以下「引用例２」という。）」には、図とともに以下の事項が記載されている。
　ア　「【発明の詳細な説明】
【技術分野】
【０００１】
  本発明は、記録媒体に画像を形成する画像形成装置に関する。
【背景技術】
【０００２】
  レーザ式のプリンタ、複写機などの画像形成装置において、画像データをプリント出力するにあたり、画像データに基づいて感光体ドラム上にトナー像を現像し、そのトナー像を紙などの記録媒体上に転写して定着器により加熱及び加圧して当該記録媒体上に画像形成している。この定着器の加熱には所定時間を要するため、従来、電源投入から画像形成可能状態になるまでの時間を短縮するためにいくつかの構成が考えられていた。ここで、その画像形成可能状態となるまでの時間短縮の構成の一例として、図１０及び図１１を参照して、複写機２００における電源投入から画像形成可能状態になるまでの時間を短縮する構成を説明する。図１０に、複写機３００の制御構成を示す。図１１に、複写機３００において実行される従来の画像形成起動処理を示す。
【０００３】
  図１０に示すように、複写機３００は、ＡＣ（交流）電源１１と、ＡＣ電源１１をオン／オフする主電源スイッチ１２と、ＡＣ電源１１から入力されたＡＣ電源電力を変換してＤＣ（直流）電源出力を第１及び第２のＤＣ電源出力として出力するＤＣ電源部１３と、定着加熱部２１を加熱電力により駆動するＡＣ駆動部１４と、操作パネルなどにおける電源スイッチとしての副電源スイッチ１５と、ＤＣ電源部１３から出力される第２のＤＣ電源出力を制御する電源制御部１６Ｂと、画像頁作成の制御などを行う全体制御部１７Ｃと、定着系や図示しない紙搬送系の制御などを行うエンジン制御部１８と、ＡＣ駆動部１４への電源電力の通電を切り替えるメインリレー１９と、図示しない感光体ドラムによりトナー像が転写された記録媒体に加熱及び加圧を行う定着ローラ２０と、定着ローラ２０を加熱するための誘導加熱コイルからなる定着加熱部２１と、定着ローラ２０を回転するモータなどからなり、定着ローラ２０を回転するモータ２２と、定着ローラ２０の温度を検知する温度センサ２３と、を備えて構成される。
【０００４】
  図１０では、複写機３００の、紙搬送に関する手段、感光体ドラムを含む画像形成に関する手段、パソコンなどの外部機器との通信に関する手段、原稿を読み取る画像読み取り手段などは省略されているものとする。また、定着器は、定着ローラ２０、定着加熱部２１、温度センサ２３及びモータ２２などを有する。
【０００５】
  次いで、図１１を参照して、複写機３００の動作を説明する。図１１に示すように、先ず、主電源スイッチ１２がオンされたことをトリガとして、ＡＣ電源１１から出力されるＡＣ電源電力が電源部１３により変換されて電源制御部１６ＢにＤＣの第１のＤＣ電源出力として出力される（ステップＳ７１）。そして、第１のＤＣ電源出力により電源制御部１６Ｂが起動される（ステップＳ７２）。そして、操作者により副電源スイッチ１５がオンされているか否かが判別される（ステップＳ７３）。
【０００６】
  副電源スイッチ１５がオンされていない場合（ステップＳ７３；ＮＯ）、ステップＳ７３に移行される。副電源スイッチ１５がオンされている場合（ステップＳ７３；ＹＥＳ）、副電源スイッチ１５から起動信号が出力されて電源制御部１６Ｂに入力される。起動信号の入力により電源制御部１６Ｂから電源制御信号が生成及び出力されてＤＣ電源部１３に入力される。電源制御信号の入力によりＤＣ電源部１３からＤＣの第２のＤＣ電源出力が生成及び出力されて全体制御部１７Ｃ及びエンジン制御部１８に入力される（ステップＳ７４）。
【０００７】
  そして、第２のＤＣ電源出力の入力により全体制御部１７Ｃが起動実行され（ステップＳ７５Ａ）、ステップＳ７５Ａと並行して、第２のＤＣ電源出力の入力によりエンジン制御部１８が起動実行される（ステップＳ７５Ｂ）。ステップＳ７５Ａ及びＳ７５Ｂのうちの少なくとも一方が実行完了されると、全体制御部１７Ｃとエンジン制御部１８との間で初期通信が試行される（ステップＳ７６）。そして、全体制御部１７Ｃとエンジン制御部１８との間で初期通信が確立したか否かが判別される（ステップＳ７７）。全体制御部１７Ｃとエンジン制御部１８との間の初期通信が確立するには、全体制御部１７Ｃとエンジン制御部１８との両方の起動が実行完了されていることが必要である。
【０００８】
  初期通信が確立していない場合（ステップＳ７７；ＮＯ）、ステップＳ７６に移行される。初期通信が確立した場合（ステップＳ７７；ＹＥＳ）、メインリレー１９がオンされて、ＡＣ電源１１から出力されるＡＣ電源電力がＡＣ駆動部１４に入力されるとともに、エンジン制御部１８から制御信号が生成及び出力されてＡＣ駆動部１４及びモータ２２等に入力される。ＡＣ電源電力及び制御信号の入力により、ＡＣ駆動部１４からＡＣの加熱電力が出力されて定着加熱部２１に入力され、定着ローラ２０が加熱されてウォーミングアップされる（ステップＳ７８）。
【０００９】
  また、初期通信が確立した後は、全体制御部１７Ｃが電源制御指令を生成して電源制御部１６Ｂに入力する。当該電源制御指令に基づいて電源制御部１６Ｂにより電源制御信号が生成及び出力されＤＣ電源部１３に入力される。そして、制御信号が入力されたモータ２２による定着ローラ２０の予備回転補正や、全体制御部１７Ｃ及びエンジン制御部１８による各部の予備制御などの予備動作が実行され（ステップＳ７９）、従来の画像形成起動処理が終了される。
【００１０】
  このように、ステップＳ７５Ａにおける
全体制御部１７Ｃの起動と
エンジン制御部１８の起動とを並行して実行する構成により、両起動を直列的に実行する構成に比べて、電源投入から画像形成可能状態になるまでの時間が短縮可能となる
【００１１】
  また、電源投入後の全体制御部及びエンジン制御部の起動の前に、一旦省エネモードを起動する構成も考えられている。具体的には、
主電源スイッチの投入後に、定着器に通電するメインリレーの電源制御手段を先に起動して、起動した電源制御手段によりメインリレーがオンされて定着器が所定温度まで加熱され、定着器に低電力が供給される省エネモードが実行される。次いで、自動的に、全体制御部及び及びエンジン制御部が起動されて初期通信がなされ、起動されたエンジン制御部により、定着器の加熱と、定着ローラの予備回転補正などの各種処理がなされる。全体制御部及びエンジン制御部の起動前に予め定着器を加熱するので、電源投入から画像形成可能状態になるまでの時間が短縮される
【００１２】
  上記省エネモードの構成と同様に、電源投入後に、一旦省エネモードを起動し、省エネモードの解除の操作が入力された場合に、全体制御部及びエンジン制御部が起動される構成も考えられている（例えば、特許文献２参照）。
【特許文献１】特開２０００−２１４７３４号公報
【特許文献２】特開２００１−２２２３４号公報
【発明の開示】
【発明が解決しようとする課題】
【００１３】
  しかし、
近年、画像形成装置のシステムの大規模化及び多機能化がすすみ、全体制御部により読み出されるプログラムが複雑になってきており、そのプログラムのロード時間が長く、全体制御部の起動に時間がかかる傾向にある。このため、
ステップＳ７５Ａの全体制御部１７Ｃの起動完了に要する時間が、ステップＳ７５Ｂのエンジン制御部１８の起動完了に要する時間よりも長くなってしまうおそれがあった。つまり、エンジン制御部１８が起動完了して定着器の加熱が可能であるにも関わらず、全体制御部１７Ｃの起動完了を待たなければならなかった
【００１４】
  また、特許文献１及び２に記載
の構成では、予め定着器を低電力で加熱するので、定着器が画像形成に要する温度まで加熱完了時間を早めることができるが、全体制御部の起動と定着器の加熱および予備動作とが直列であることになるため、上記
の構成と同様に、全体制御部及びエンジン制御部の起動完了及び初期通信完了後の、エンジン制御部による定着器の加熱及び予備回転補正などの予備動作の開始が遅れてしまうという問題があった
【００１５】
  特に、
近年、定着器の定着加熱部として、所定温度までの加熱時間の長いハロゲンヒータに代えて、加熱時間の短い電磁誘導加熱（ＩＨ）のヒータが用いられるようになってきた。このため、電源投入から画像形成可能状態になるまでの時間の増大に寄与する要因として、定着器の加熱時間が長いことよりも、全体制御部の起動時間の増大の占める割合が大きくなってきている
【００１６】
  本発明の
課題は、
全体制御部の起動時間の影響を軽減して、電源投入から画像形成可能状態にするまでの時間を短縮すること
　
　イ　「【００５６】
  （第１の実施の形態）
  図１〜図４を参照して、本発明に係る第１の実施の形態を説明する。先ず、図１及び図２を参照して本実施の形態の装置の特徴を説明する。図１に、本実施の形態の複写機１００の制御構成を示す。図２に、複写機１００の全体構成を示す。
【００５７】
  図１に示すように、
画像形成装置としての複写機１００は、ＡＣ電源１１と、主電源スイッチ１２と、ＤＣ電源部１３と、ＡＣ駆動部１４と、副電源スイッチ１５と、第２の電源制御部１６Ａと、全体制御部１７Ａと、エンジン制御部１８と、メインリレー１９と、定着ローラ２０と、定着加熱部２１と、モータ２２と、温度センサ２３と、異常検知部２４と、を備えて構成される。また、全体制御部１７Ａは、第１の電源制御部１７１を含む
【００５８】
  ＡＣ電源１１は、
ＡＣ電源電力を供給する
操作者の操作によりＡＣ電源１１からＤＣ電源部１３へのＡＣ電源電力の通電をオン／オフする
ＡＣ電源１１から入力されたＡＣの電源電力を変換してそのＤＣの電源出力を第１のＤＣ電源出力として第１の電源制御部１７１及び第２の電源制御部１６Ａに出力する
【００５９】
  ＡＣ駆動部１４は、
エンジン制御部１８から入力される制御信号と、ＡＣ電源１１から入力されるＡＣ電源電力とにより定着加熱部２１を駆動する加熱電力を生成し定着加熱部２１に出力する
操作パネルなどにおける電源スイッチであり、操作者の操作によりオンされることで起動信号を第１の電源制御部１７１及び第２の電源制御部１６Ａに出力する
【００６０】
  第２の電源制御部１６Ａは、
全体制御部１７Ａが起動する前に動作される電源制御部である
【００６１】
  全体制御部１７Ａは、ＤＣ電源部１３から第２のＤＣ電源出力が入力され、画像形成する画像頁作成、その頁管理、図示しない外部機器との通信管理などの全体的な動作を行う。また、全体制御部１７Ａは、エンジン制御部１８との通信を行い、エンジン制御部１８における各種制御を管理する。第１の電源制御部１７１は、ＤＣ電源部１３から第１のＤＣ電源出力が入力され、副電源スイッチ１５から入力された起動信号などに基づいて、電源制御指令を生成及び出力して第２の電源制御部１６Ａに入力する。
【００６２】
  エンジン制御部１８は、
メインリレー１９のオン／オフ制御、定着器や
紙搬送系の制御などを行う
【００６３】
  全体制御部１７Ａ，エンジン制御部１８は、図示しないメモリから各種制御プログラムを読み込んで実行することにより制御を行う。全体制御を行うためのプログラムは大きく、特に、複写機１００が多機能になればプログラムも複雑かつ大容量となる。このため、全体制御部１７Ａの起動時間は、例えば、数秒〜数十秒の長時間を要する。これに対して、エンジン制御部１８は、モータ２２の駆動等の比較的時間のかからない制御のみを対象とするので、比較的シンプルな構成となる。このため、エンジン制御部１８の起動時間は、例えば、１秒以下の短時間しか要しない。
【００６４】
  メインリレー１９は、
ＡＣ電源１１から入力されるＡＣ電源電力のＡＣ駆動部１４への通電をオン／オフする
誘導加熱コイルを用いる定着加熱部２１による加熱時間は
短時間で済む
【００６５】
  モータ２２は、
ＤＣ電源部１３から第３のＤＣ電源出力が入力され、定着ローラ２０を回転する
【００６６】
  温度センサ２３は、
定着ローラ２０の温度を検知して温度検知信号をエンジン制御部１８に出力する
複写機１００の外部カバー（扉）がインターロックされていないか（カバーが空いているか）と、紙詰まりなどとの各種異常とを検知し、その検知信号をエンジン制御部１８及び第２の電源制御部１６Ａに出力する
　
ウ　「【００７５】
  次に、図３及び図４を参照して、複写機１００の動作を説明する。図３に、第１の画像形成起動処理を示す。図４に、第１の画像形成起動処理におけるタイミングチャートを示す。また、図４のタイミングチャートに、対応するステップの符号を付した。
【００７６】
  第１の
画像形成起動処理
通常の画像形成動作が可能な状態に起動する処理である
【００７７】
  各種予備動作は、全体制御部１７Ａの起動完了を要しない予備動作と、全体制御部１７Ａの起動完了を要する予備動作とがある。全体制御部１７Ａの起動完了を要しない予備動作としては、エンジン制御部１８による、モータ２２による定着ローラ２０の予備回転補正と、温度センサ２３の温度検知信号を用いた定着ローラ２０の加熱温度調整と、現像器５５におけるトナー濃度の補正動作と、露光部５４において感光体ドラム５１にレーザ光を走査し照射する図示しないポリゴンモータの回転と、図示しない清掃手段による帯電部５３の電極の清掃と、図示しない清掃手段による転写部５６の転写手段の電極の清掃と、図示しない清掃手段による転写部５６の分離手段の電極の清掃と、図示しない冷却手段としてのファンなどによる複写機１００内の冷却と、画像読み取り部３０の走査部３４のホームポジション復帰と、記録用紙Ｐを格納する格納手段としての給紙トレイ４１，４２のホームポジション復帰と、などが挙げられる。また、全体制御部１７Ａの起動完了を要しない予備動作を行う各部には、後述する第３のＤＣ電源電力が入力されて、その予備動作が行われる。
【００７８】
  全体制御部１７Ａの起動完了を要する予備動作としては、全体制御部１７Ａによる、感光体ドラム５１への作像を伴うトナー濃度の検知及び補正と、画像読み取り部３０のＣＣＤ３５のシェーディング補正と、などが挙げられる。
【００７９】
  図３及び図４に示すように、複写機１００において、
主電源スイッチ１２がオンされたことをトリガとして、
先ず、ＡＣ電源１１から出力されるＡＣ電源電力がＤＣ電源部１３により変換され、第１の電源制御部１７１及び第２の電源制御部１６Ａに第１のＤＣ電源出力として出力される（ステップＳ１１）
そして、操作者により副電源スイッチ１５がオンされているか否かが判別される（ステップＳ１３）
【００８０】
  
副電源スイッチ１５がオンされていない場合（ステップＳ１３；ＮＯ）、ステップＳ１３に移行される。副電源スイッチ１５がオンされている場合（ステップＳ１３；ＹＥＳ）、副電源スイッチ１５から起動信号が出力されて第１の電源制御部１７１及び第２の電源制御部１６Ａに入力される。起動信号の入力により第２の電源制御部１６Ａから予め設定された所定の設定条件に基づく電源制御信号が生成及び出力されてＤＣ電源部１３に入力される
電源制御信号の入力により、ＤＣ電源部１３からＤＣの第２のＤＣ電源出力が生成及び出力されて全体制御部１７Ａ及びエンジン制御部１８に入力される（ステップＳ１４）。
【００８１】
  
そして、第２のＤＣ電源出力の入力により、第１の電源制御部１７１を含む全体制御部１７Ａの一部以外の全体制御部１７Ａの残りが起動実行され（ステップＳ１５Ａ）、ステップＳ１５Ａと並行して、第２のＤＣ電源出力の入力によりエンジン制御部１８が起動実行される（ステップＳ１５Ｂ）
ステップＳ１５Ａ及びＳ１５Ｂのうちの少なくとも一方が実行完了されると、全体制御部１７Ａとエンジン制御部１８との間で初期通信が試行される（ステップＳ１６）。
【００８２】
  
そして、全体制御部１７Ａとエンジン制御部１８との間で初期通信が確立したか否かが判別される（ステップＳ１７）
全体制御部１７Ａとエンジン制御部１８との両方の起動が実行完了されていることが必要で
初期通信が確立していない場合（ステップＳ１７；ＮＯ）、ステップＳ１６に移行され
【００８３】
  
一方、ステップＳ１５Ｂにおけるエンジン制御部１８の起動完了とともに、エンジン制御部１８により、異常検知部２４において、複写機１００のカバーなどがインターロック状態であり、且つ紙詰まりなどのその他の異常がないことが検知されるか否かか判別される（ステップＳ１８）
全て異常がないと検知されない場合（ステップＳ１８；ＮＯ）、いずれかの異常が検知されており、操作者によりカバーなどが閉じられるインターロック状態までの待機又は異常回復の待機が行われ（ステップＳ１９）、ステップＳ１８に移行され
【００８４】
  
全て異常がないと検知された場合（ステップＳ１８；ＹＥＳ）、異常検知部２４から入力された異常無しの旨の検知信号に基づいて、第２の電源制御部１６Ａにより、電源制御信号が生成及び出力されてＤＣ電源部１３に入力される。そして、第２の電源制御部１６Ａから入力された電源制御信号に基づいて、ＤＣ電源部１３により、第３のＤＣ電源出力が生成されてモータ２２等に入力される（ステップＳ２０）。また、エンジン制御部１８によりメインリレー１９がオンされて、ＡＣ電源１１から出力されるＡＣ電源電力がＡＣ駆動部１４に入力されるとともに、エンジン制御部１８から制御信号が出力されてＡＣ駆動部１４及びモータ２２等に入力され
。ＡＣ電源電力及び制御信号の入力により、ＡＣ駆動部１４からＡＣの加熱電力が生成及び出力されて定着加熱部（誘導コイル）２１に入力され、定着加熱部２１により定着ローラ２０（の加熱ローラ２０Ａ）が加熱されてウォーミングアップされる（ステップＳ２１）
【００８５】
  
そして、エンジン制御部１８により、第３のＤＣ電源出力及び制御信号が入力されたモータ２２の予備回転補正等の、全体制御部１７Ａの起動完了を要しない各種予備動作が実行される（ステップＳ２２）。また、初期通信が確立した場合（ステップＳ１７；ＹＥＳ）、全体制御部１７Ａにより、全体制御部１７Ａの起動完了を要する各種予備動作が実行され（ステップＳ２３）、第１の画像形成起動処理が終了され
【００８６】
  また、初期通信が確立した後は、第１の電源制御部１７１が電源制御指令を生成及び出力して電源制御部１６Ａに入力する。当該電源制御指令に基づいて第２の電源制御部１６Ａが電源制御信号を生成及び出力してＤＣ電源部１３に入力する。例えば、副電源スイッチ１５がオフされた場合、第１の電源制御部１７１がシャットダウン指令を生成して第２の電源制御部１６Ａに入力し、第２の電源制御部１６Ａがシャットダウン制御信号を生成してＤＣ電源部１３に入力する。
【００８７】
  また、主電源スイッチ１２がオンされた状態で、副電源スイッチ１５がオフされる場合、画像形成の待機モードとなり、例えば、第１の電源制御部１７１を含む全体制御部１７Ａの一部のみが起動され、外部機器との通信管理など待機状態に関する制御のみを行う構成とする。この待機モード時には、全体制御部１７Ａ全体を起動しなく、定着器６０の通電（加熱）などを行わないので、省電力が実現される。
【００８８】
  また、ステップＳ２１の実行以後、温度センサ２３により定期的に定着ローラ２０の温度が検知されて温度検知信号がエンジン制御部１８に入力される。エンジン制御部１８により、温度検知信号に基づいてＡＣ駆動部１４へ入力する制御信号が調整され、ＡＣ駆動部１４から出力されて定着加熱部２１に入力される加熱電力が調整されて、定着ローラ２０の表面温度が適温に保たれる。
【００８９】
  本実施の形態によれば、
主電源スイッチ１２がオンされた場合に、第２の電源制御部１６Ａを起動し、起動した第２の電源制御部１６Ａが全体制御部１７Ａ及びエンジン制御部１８を起動開始し、起動完了したエンジン制御部１８が、ＡＣ駆動部１４を介して定着加熱部２１への通電を制御し、ＤＣ電源部１３の第３のＤＣ電源出力を用いて、全体制御部１７Ａの起動完了を要しない予備動作の実行を制御するので、全体制御部１７Ａの起動完了よりも早く定着器６０の通電（加熱）と、全体制御部１７Ａの起動完了を要しない予備動作とが実行でき、全体制御部１７Ａの起動時間の影響を軽減して、電源投入から画像形成可能状態にするまでの時間を短縮する
【００９０】
  
また、全体制御部１７Ａ及びエンジン制御部１８を並行して起動を開始するので、エンジン制御部１８をより早く起動完了でき、全体制御部１７Ａの起動時間の影響を軽減して、電源投入から画像形成可能状態にするまでの時間をより短縮する
【００９１】
  見方を変えると、エンジン制御部１８による定着器６０の加熱時間、及び全体制御部１７Ａの起動完了を要しない予備動作の実行時間の少なくとも１つと、全体制御部１７Ａの起動時間とが、少なくとも一部で重なるので、全体制御部１７Ａの起動完了前に、定着器６０の加熱と、全体制御部１７Ａの起動完了を要しない予備動作との少なくとも１つが実行開始され、全体制御部１７Ａの起動時間の影響を軽減して、電源投入から画像形成可能状態にするまでの時間を短縮することができる。
【００９２】
  また、副電源スイッチ１５がオンされた場合に、第２の電源制御部１６Ａが、ＤＣ電源部１３から出力される第２のＤＣ電源出力を生成制御するので、副電源スイッチ１５のオフ時の消費電力を低減することができる。
【００９３】
  また、異常検知部２４が異常を検知しない場合に、エンジン制御部１８による、定着ローラ２０の加熱と、全体制御部１７Ａの起動完了を要しない予備動作の実行とが制御されるので、安全に画像形成可能状態にすることができる。
【００９４】
  また、定着ローラ２０（の加熱ローラ２０Ａ）が、定着加熱部（誘導加熱コイル）２１により電磁誘導方式で加熱されるので、定着器の加熱時間が短く、電源投入から画像形成可能状態にするまでの時間の短縮の割合を大きくすることができる。
【００９５】
  また、日本国内の法律により、省エネモードから画像形成可能状態となるまでの復帰時間は、省エネルギー対策のために３０秒以下に規定されており、この条件を満たす画像形成装置の実施が好ましい。本実施の形態の構成では、全体制御部１７Ａの起動時間の影響を軽減したことから、主電源スイッチ１２又は副電源スイッチ１５のオン投入から画像形成可能状態となるまでの時間を容易に３０秒以下にすることができる。」
　
　エ　上記アないしウから、引用例２には、
「記録媒体に画像を形成する画像形成装置としての複写機において、
　従来は、全体制御部の起動とエンジン制御部の起動とを並行して実行する構成により両起動を直列的に実行する構成に比べて電源投入から画像形成可能状態になるまでの時間を短縮していたところ、近年画像形成装置のシステムの大規模化及び多機能化がすすみ全体制御部により読み出されるプログラムが複雑になってきておりそのプログラムのロード時間が長く全体制御部の起動に時間がかかる傾向にあるため、全体制御部の起動完了に要する時間がエンジン制御部の起動完了に要する時間よりも長くなってしまうおそれがあり、エンジン制御部が起動完了して定着器の加熱が可能であるにも関わらず全体制御部の起動完了を待たなければならず、また、主電源スイッチの投入後に定着器に通電するメインリレーの電源制御手段を先に起動して起動した電源制御手段によりメインリレーをオンして定着器を所定温度まで加熱し定着器に低電力が供給される省エネモードを実行してから、自動的に全体制御部及びエンジン制御部を起動して初期通信を行い起動されたエンジン制御部により定着器の加熱と定着ローラの予備回転補正などの各種処理を行い全体制御部及びエンジン制御部の起動前に予め定着器を加熱して電源投入から画像形成可能状態になるまでの時間を短縮するものもあったが、この構成では予め定着器を低電力で加熱するので定着器が画像形成に要する温度までの加熱完了時間を早めることができても全体制御部の起動と定着器の加熱および予備動作とが直列であることになるため上記の構成と同様に全体制御部及びエンジン制御部の起動完了及び初期通信完了後のエンジン制御部による定着器の加熱及び予備回転補正などの予備動作の開始が遅れてしまうという問題があり、
　さらに、近年定着器の定着加熱部として所定温度までの加熱時間の長いハロゲンヒータに代えて加熱時間の短い電磁誘導加熱（ＩＨ）のヒータが用いられるようになってきたため、電源投入から画像形成可能状態になるまでの時間の増大に寄与する要因として定着器の加熱時間が長いことよりも全体制御部の起動時間の増大の占める割合が大きくなってきていることから、
　全体制御部の起動時間の影響を軽減して電源投入から画像形成可能状態にするまでの時間を短縮することを課題とし、
　ＡＣ電源電力を供給するＡＣ電源１１と、
　操作者の操作によりＡＣ電源１１からＤＣ電源部１３へのＡＣ電源電力の通電をオン／オフする主電源スイッチ１２と、
　ＡＣ電源１１から入力されたＡＣの電源電力を変換してそのＤＣの電源出力を第１のＤＣ電源出力として第１の電源制御部１７１及び第２の電源制御部１６Ａに出力するＤＣ電源部１３と、
　エンジン制御部１８から入力される制御信号と、ＡＣ電源１１から入力されるＡＣ電源電力とにより定着加熱部２１を駆動する加熱電力を生成し定着加熱部２１に出力するＡＣ駆動部１４と、
　操作パネルなどにおける電源スイッチであり、操作者の操作によりオンされることで起動信号を第１の電源制御部１７１及び第２の電源制御部１６Ａに出力する副電源スイッチ１５と、
　全体制御部１７Ａが起動する前に動作される電源制御部である第２の電源制御部１６Ａと、
　第１の電源制御部１７１を含む全体制御部１７Ａと、
　メインリレー１９のオン／オフ制御、定着器や紙搬送系の制御などを行うエンジン制御部１８と、
　ＡＣ電源１１から入力されるＡＣ電源電力のＡＣ駆動部１４への通電をオン／オフするメインリレー１９と、
　定着ローラ２０と、
　加熱時間が短時間で済む誘導加熱コイルを用いる定着加熱部２１と、
　ＤＣ電源部１３から第３のＤＣ電源出力が入力され、定着ローラ２０を回転するモータ２２と、
　定着ローラ２０の温度を検知して温度検知信号をエンジン制御部１８に出力する温度センサ２３と、
　複写機の外部カバー（扉）がインターロックされていないか（カバーが空いているか）と、紙詰まりなどとの各種異常とを検知し、その検知信号をエンジン制御部１８及び第２の電源制御部１６Ａに出力する異常検知部２４と、を備え、
　主電源スイッチ１２がオンされたことをトリガとして、先ず、ＡＣ電源１１から出力されるＡＣ電源電力がＤＣ電源部１３により変換され、第１の電源制御部１７１及び第２の電源制御部１６Ａに第１のＤＣ電源出力として出力され（ステップＳ１１）、そして、操作者により副電源スイッチ１５がオンされているか否かが判別され（ステップＳ１３）、副電源スイッチ１５がオンされていない場合（ステップＳ１３；ＮＯ）、ステップＳ１３に移行され、副電源スイッチ１５がオンされている場合（ステップＳ１３；ＹＥＳ）、副電源スイッチ１５から起動信号が出力されて第１の電源制御部１７１及び第２の電源制御部１６Ａに入力され、起動信号の入力により第２の電源制御部１６Ａから予め設定された所定の設定条件に基づく電源制御信号が生成及び出力されてＤＣ電源部１３に入力され、電源制御信号の入力により、ＤＣ電源部１３からＤＣの第２のＤＣ電源出力が生成及び出力されて全体制御部１７Ａ及びエンジン制御部１８に入力され（ステップＳ１４）、そして、第２のＤＣ電源出力の入力により、第１の電源制御部１７１を含む全体制御部１７Ａの一部以外の全体制御部１７Ａの残りが起動実行され（ステップＳ１５Ａ）、ステップＳ１５Ａと並行して、第２のＤＣ電源出力の入力によりエンジン制御部１８が起動実行され（ステップＳ１５Ｂ）、ステップＳ１５Ａ及びＳ１５Ｂのうちの少なくとも一方が実行完了されると、全体制御部１７Ａとエンジン制御部１８との間で初期通信が試行され（ステップＳ１６）、そして、全体制御部１７Ａとエンジン制御部１８との両方の起動が実行完了されることを必要とする、全体制御部１７Ａとエンジン制御部１８との間での初期通信が確立したか否かが判別され（ステップＳ１７）、初期通信が確立していない場合（ステップＳ１７；ＮＯ）、ステップＳ１６に移行され、一方、ステップＳ１５Ｂにおけるエンジン制御部１８の起動完了とともに、エンジン制御部１８により、異常検知部２４において、複写機のカバーなどがインターロック状態であり、且つ紙詰まりなどのその他の異常がないことが検知されるか否かか判別され（ステップＳ１８）、全て異常がないと検知されない場合（ステップＳ１８；ＮＯ）、いずれかの異常が検知されており、操作者によりカバーなどが閉じられるインターロック状態までの待機又は異常回復の待機が行われ（ステップＳ１９）、ステップＳ１８に移行され、全て異常がないと検知された場合（ステップＳ１８；ＹＥＳ）、異常検知部２４から入力された異常無しの旨の検知信号に基づいて、第２の電源制御部１６Ａにより、電源制御信号が生成及び出力されてＤＣ電源部１３に入力され、そして、第２の電源制御部１６Ａから入力された電源制御信号に基づいて、ＤＣ電源部１３により、第３のＤＣ電源出力が生成されてモータ２２等に入力され（ステップＳ２０）、また、エンジン制御部１８によりメインリレー１９がオンされて、ＡＣ電源１１から出力されるＡＣ電源電力がＡＣ駆動部１４に入力されるとともに、エンジン制御部１８から制御信号が出力されてＡＣ駆動部１４及びモータ２２等に入力され、ＡＣ電源電力及び制御信号の入力により、ＡＣ駆動部１４からＡＣの加熱電力が生成及び出力されて定着加熱部（誘導コイル）２１に入力され、定着加熱部２１により定着ローラ２０（の加熱ローラ２０Ａ）が加熱されてウォーミングアップされ（ステップＳ２１）、 そして、エンジン制御部１８により、第３のＤＣ電源出力及び制御信号が入力されたモータ２２の予備回転補正等の、全体制御部１７Ａの起動完了を要しない各種予備動作が実行され（ステップＳ２２）、また、初期通信が確立した場合（ステップＳ１７；ＹＥＳ）、全体制御部１７Ａにより、全体制御部１７Ａの起動完了を要する各種予備動作が実行され（ステップＳ２３）、画像形成起動処理を終了して、通常の画像形成動作が可能な状態とすることにより、
　主電源スイッチ１２がオンされた場合に、第２の電源制御部１６Ａを起動し、起動した第２の電源制御部１６Ａが全体制御部１７Ａ及びエンジン制御部１８を起動開始し、起動完了したエンジン制御部１８が、ＡＣ駆動部１４を介して定着加熱部２１への通電を制御し、ＤＣ電源部１３の第３のＤＣ電源出力を用いて、全体制御部１７Ａの起動完了を要しない予備動作の実行を制御するので、全体制御部１７Ａの起動完了よりも早く定着器６０の通電（加熱）と、全体制御部１７Ａの起動完了を要しない予備動作とが実行でき、全体制御部１７Ａの起動時間の影響を軽減して、電源投入から画像形成可能状態にするまでの時間を短縮し、また、全体制御部１７Ａ及びエンジン制御部１８を並行して起動を開始するので、エンジン制御部１８をより早く起動完了でき、全体制御部１７Ａの起動時間の影響を軽減して、電源投入から画像形成可能状態にするまでの時間をより短縮した、画像形成装置としての複写機。」の発明（以下「引用発明２」という。）が記載されているものと認められる。
　
４　対比
　本願発明と引用発明１を対比する。
（１）引用発明１の「定着ヒータ、感光体駆動装置及び前記定着ヒータへ電源供給を行う電源部、を備えた複写装置」、「『Ｓ４０１でフラッシュＲＯＭ４に記憶しているプログラムを読出して実行して動作して、その制御動作を開始』する『制御手段としてのＣＰＵ３』」、「ＩＣカード１がコネクタ２へ装着されない通常時には、スイッチＳＷ１はオフであるので、抵抗Ｒを通じた電源ライン電圧Ｖｃｃのハイレベルの入力信号を取込んでＩＣカード１の未装着を認識し、同時にＡＮＤゲート５の一方の入力端もハイレベルに設定され、ＡＮＤゲート５の他方の入力端にもハイレベルの出力信号Ｓ１を入力し、この結果、ＡＮＤゲート５がトランジスタＱ１のベースにハイレベルの信号を出力し、トランジスタＱ１がオン（導通）となり、この導通でリレースイッチ６のオン・オフ接点６ｂがオンとなり、定着ヒータ７へ交流電源８からの交流をオン・オフ接点６ｂとともに半導体無接点リレーＳＳＲ９を通じて供給させるＣＰＵ３」、「新たなプログラムを記憶した外部記憶媒体としての多数のピンを有するＩＣカード１」、「ＩＣカード１が装着されるようになっている、多数のコンタクトを設けた着脱接続部としてのコネクタ２」、「ＩＣカード１の挿入時にオンとなるスイッチＳＷ１」及び「ＡＮＤゲート５がトランジスタＱ１のベースにハイレベルの信号を出力」は、それぞれ、本願発明の「電子写真プロセスによって記録媒体に画像を形成する画像形成装置」、「当該画像形成装置の全体的な制御を行うものであって、主電源スイッチがオンしたときにブートプログラムの実行を開始するＣＰＵ」、「当該画像形成装置の起動制御を行う許可信号制御手段」、「ファームウェアのダウンロード用のメモリモジュール」、「メモリモジュールを装着するためのメモリ装着口」、「前記メモリモジュールが前記メモリ装着口に装着されている場合にモジュール装着信号を出力するセンサ」及び「定着器の加熱を含む前記電子写真プロセスのための準備動作を開始させる起動許可信号を出力」に相当する。
　
（２）引用発明１において、「許可信号制御手段（ＣＰＵ３）」は、ＩＣカード１がコネクタ２へ装着されない通常時には、スイッチＳＷ１はオフであるので、抵抗Ｒを通じた電源ライン電圧Ｖｃｃのハイレベルの入力信号を取込んでＩＣカード１の未装着を認識し、同時にＡＮＤゲート５の一方の入力端もハイレベルに設定され、ＡＮＤゲート５の他方の入力端にもハイレベルの出力信号Ｓ１を入力し、この結果、ＡＮＤゲート５がトランジスタＱ１のベースにハイレベルの信号を出力し、トランジスタＱ１がオン（導通）となり、この導通でリレースイッチ６のオン・オフ接点６ｂがオンとなり、定着ヒータ７へ交流電源８からの交流をオン・オフ接点６ｂとともに半導体無接点リレーＳＳＲ９を通じて供給させるものであり、「画像形成装置（複写装置）」が備えていることが明らかである主電源スイッチがオンしてＣＰＵ３及び電源ライン電圧Ｖｃｃに電源が供給されたときにこのような制御がなされることが当業者に自明であるから、引用発明１の「許可信号制御手段」と本願発明の「許可信号制御手段」とは「前記主電源スイッチがオンして電源の供給を受けたときに当該画像形成装置の起動制御を行う」点で一致するといえる。
　
（３）引用発明１の「フラッシュＲＯＭ４に記憶しているプログラムを読出して実行して動作して、その制御動作を開始し、ＩＣカード１がコネクタ２へ装着されない通常時には、スイッチＳＷ１はオフであるので、抵抗Ｒを通じた電源ライン電圧Ｖｃｃのハイレベルの入力信号を取込んでＩＣカード１の未装着を認識する、ＣＰＵ３が実行するＳ４０１」と本願発明の「前記メモリモジュールが前記メモリスロットに装着されていないこと、当該画像形成装置がトラブル状態でないこと、および、ＤＣ電源装置がオフになっていないこと、のいずれもが真であることを起動開始条件として、当該起動開始条件が整った状態となったか否かを判断する起動モード判別手段」とは「前記メモリモジュールが前記メモリスロットに装着されていないことが真であることを起動開始条件として、当該起動開始条件が整った状態となったか否かを判断する起動モード判別手段」の点で一致するといえる。
　
（４）引用発明１の「起動許可信号（ＡＮＤゲート５からトランジスタＱ１のベースに出力されるハイレベルの信号）」は、ＩＣカード１の挿入時にオンとなるスイッチＳＷ１がオフであり、ＣＰＵ３が抵抗Ｒを通じた電源ライン電圧Ｖｃｃのハイレベルの入力信号を取込んでＩＣカード１の未装着を認識し、同時にＡＮＤゲート５の一方の入力端もハイレベルに設定され、ＡＮＤゲート５の他方の入力端にもＣＰＵ３がハイレベルの出力信号Ｓ１を入力する結果出力されるので、本願発明の「前記起動開始条件が整った状態となったときに出力する定着器の加熱を含む前記電子写真プロセスのための準備動作を開始させる起動許可信号」と、「前記起動開始条件が整ったことを条件に出力する定着器の加熱を含む前記電子写真プロセスのための準備動作を開始させる起動許可信号」の点で一致する。
　
（５）引用発明１の「電子写真プロセスによって記録媒体に画像を形成する画像形成装置（定着ヒータ、感光体駆動装置及び前記定着ヒータへ電源供給を行う電源部、を備えた複写装置）」において、記録媒体に画像を形成するのは、「当該画像形成装置の全体的な制御を行うものであって、主電源スイッチがオンしたときにブートプログラムの実行を開始するＣＰＵ（Ｓ４０１でフラッシュＲＯＭ４に記憶しているプログラムを読出して実行して動作して、その制御動作を開始する制御手段としてのＣＰＵ３）」がＳ４０１で「ブートプログラム（フラッシュＲＯＭ４に記憶しているプログラム）」を読出しての「実行」を完了し、かつ、感知素子などの回路からＣＰＵ３へ送出される定着ヒータ７の発熱状態に対する検出信号が所定の値を示した後であることが当業者に自明であるから、引用発明１の「許可信号制御手段（ＣＰＵ３）」は、本願発明の「前記ＣＰＵによるブ−トプログラムの実行が完了しかつ前記電子写真プロセスのための準備動作が完了したときに当該画像形成装置の起動が完了したとして前記記録媒体への画像の形成のための駆動を可能とする駆動許可信号を出力する許可信号生成手段」を有するといえる。
　
（６）上記（１）ないし（５）から、本願発明と引用発明１とは、
「電子写真プロセスによって記録媒体に画像を形成する画像形成装置であって、
　当該画像形成装置の全体的な制御を行うものであって、主電源スイッチがオンしたときにブ−トプログラムの実行を開始するＣＰＵと、
　前記主電源スイッチがオンして電源の供給を受けたときに当該画像形成装置の起動制御を行う許可信号制御手段と、
　ファームウェアのダウンロード用のメモリモジュールを装着するためのメモリ装着口と、
　前記メモリモジュールが前記メモリ装着口に装着されている場合にモジュール装着信号を出力するセンサと、を有し、
　前記許可信号制御手段は、
　前記メモリモジュールが前記メモリスロットに装着されていないことが真であることを起動開始条件として、当該起動開始条件が整った状態となったか否かを判断する起動モード判別手段と、
　前記起動開始条件が整ったことを条件に定着器の加熱を含む前記電子写真プロセスのための準備動作を開始させる起動許可信号を出力し、前記ＣＰＵによるブートプログラムの実行が完了しかつ前記電子写真プロセスのための準備動作が完了したときに当該画像形成装置の起動が完了したとして前記記録媒体への画像の形成のための駆動を可能とする駆動許可信号を出力する許可信号生成手段と、を有する、
　画像形成装置。」の点で一致し、次の点で相違する。
　
相違点１：
　前記起動開始条件が、
　本願発明では、前記メモリモジュールが前記メモリスロットに装着されていないことに加え、当該画像形成装置がトラブル状態でないこと、および、ＤＣ電源装置がオフになっていないことが含まれ、そのいずれもが真であることであるのに対して、
　引用発明１では、前記メモリモジュールが前記メモリスロットに装着されていないことの他の条件があるのかどうか不明である点。
　
相違点２：
　前記許可信号生成手段が起動許可信号を出力するのが、
　本願発明では、前記起動開始条件が整った状態となったときであるのに対して、
　引用発明１では、前記ＣＰＵによるブートプログラムの実行が完了し、かつ、前記起動開始条件が整った状態となったときである点。
　
５　判断
　上記相違点１及び２について検討する。
（１）引用例２には、上記３（２）のとおり、引用発明２が記載されている（上記３（２）エ参照。）。
　引用発明２は、近年画像形成装置のシステムの大規模化及び多機能化がすすみ全体制御部により読み出されるプログラムが複雑になってきておりそのプログラムのロード時間が長く全体制御部の起動に時間がかかる傾向にあるため、全体制御部の起動完了に要する時間がエンジン制御部の起動完了に要する時間よりも長くなってしまうおそれがあり、エンジン制御部が起動完了して定着器の加熱が可能であるにも関わらず全体制御部の起動完了を待たなければならないことに鑑みてなされた、「ＡＣ電源電力を供給するＡＣ電源１１と、操作者の操作によりＡＣ電源１１からＤＣ電源部１３へのＡＣ電源電力の通電をオン／オフする主電源スイッチ１２と、ＡＣ電源１１から入力されたＡＣの電源電力を変換してそのＤＣの電源出力を第１のＤＣ電源出力として第１の電源制御部１７１及び第２の電源制御部１６Ａに出力するＤＣ電源部１３と、エンジン制御部１８から入力される制御信号と、ＡＣ電源１１から入力されるＡＣ電源電力とにより定着加熱部２１を駆動する加熱電力を生成し定着加熱部２１に出力するＡＣ駆動部１４と、操作パネルなどにおける電源スイッチであり、操作者の操作によりオンされることで起動信号を第１の電源制御部１７１及び第２の電源制御部１６Ａに出力する副電源スイッチ１５と、全体制御部１７Ａが起動する前に動作される電源制御部である第２の電源制御部１６Ａと、第１の電源制御部１７１を含む全体制御部１７Ａと、メインリレー１９のオン／オフ制御、定着器や紙搬送系の制御などを行うエンジン制御部１８と、ＡＣ電源１１から入力されるＡＣ電源電力のＡＣ駆動部１４への通電をオン／オフするメインリレー１９と、定着ローラ２０と、加熱時間が短時間で済む誘導加熱コイルを用いる定着加熱部２１と、ＤＣ電源部１３から第３のＤＣ電源出力が入力され、定着ローラ２０を回転するモータ２２と、定着ローラ２０の温度を検知して温度検知信号をエンジン制御部１８に出力する温度センサ２３と、複写機の外部カバー（扉）がインターロックされていないか（カバーが空いているか）と、紙詰まりなどとの各種異常とを検知し、その検知信号をエンジン制御部１８及び第２の電源制御部１６Ａに出力する異常検知部２４と、を備えた複写機」の発明であり、「主電源スイッチ１２がオンされた場合に、第２の電源制御部１６Ａを起動し、起動した第２の電源制御部１６Ａが全体制御部１７Ａ及びエンジン制御部１８を起動開始し、起動完了したエンジン制御部１８が、ＡＣ駆動部１４を介して定着加熱部２１への通電を制御し、ＤＣ電源部１３の第３のＤＣ電源出力を用いて、全体制御部１７Ａの起動完了を要しない予備動作の実行を制御するので、全体制御部１７Ａの起動完了よりも早く定着器６０の通電（加熱）と、全体制御部１７Ａの起動完了を要しない予備動作とが実行でき、全体制御部１７Ａの起動時間の影響を軽減して、電源投入から画像形成可能状態にするまでの時間を短縮し、また、全体制御部１７Ａ及びエンジン制御部１８を並行して起動を開始するので、エンジン制御部１８をより早く起動完了でき、全体制御部１７Ａの起動時間の影響を軽減して、電源投入から画像形成可能状態にするまでの時間をより短縮した」ものであって、「副電源スイッチ１５がオンされており（ステップＳ１３；ＹＥＳ）、かつ、エンジン制御部１８の起動完了とともに異常検知部２４において全て異常がないと検知された（ステップＳ１８；ＹＥＳ）ことを条件に、第２の電源制御部１６Ａにより、電源制御信号が生成及び出力され（ステップＳ２０）、定着加熱部２１により定着ローラ２０（の加熱ローラ２０Ａ）が加熱されてウォーミングアップされ（ステップＳ２１）、モータ２２の予備回転補正等の、全体制御部１７Ａの起動完了を要しない各種予備動作が実行され（ステップＳ２２）、全体制御部１７Ａとエンジン制御部１８との両方の起動が実行完了されることを必要とする、全体制御部１７Ａとエンジン制御部１８との間での初期通信が確立した場合（ステップＳ１７；ＹＥＳ）、全体制御部１７Ａにより、全体制御部１７Ａの起動完了を要する各種予備動作が実行され（ステップＳ２３）、画像形成起動処理を終了して、通常の画像形成動作が可能な状態とする」ものである。
　
（２）引用発明１は、「外部の記憶手段から内部のプログラム格納用記憶手段にプログラムを転送することが可能である複写装置」であって、制御手段としてのＣＰＵ３を有し、通常時には、ＩＣカード１がコネクタ２へ装着されないので、ＣＰＵ３は、記憶手段としてのフラッシュＲＯＭ４に記憶しているプログラムで動作し、ＩＣカード１のコネクタ２への装着時のプログラムの書換え動作中は、定着ヒータ７へ交流電源８からの交流の供給を停止し、ダウンロードを開始し、新たなプログラムによる制御動作を実行し、新たなプログラムをフラッシュＲＯＭ４に転送してここに記憶している従来のプログラムを新たなプログラムに変更する書換えを行い、ＩＣカード１が取外されて、新たなプログラムに変更する書換えが終了するものであるところ、　上記（１）からみて、
　引用発明１において、
　大規模化及び多機能化をすすめ、制御手段としてのＣＰＵ３を、複雑なプログラムを読み出して動作する「第１の電源制御部１７１を含む全体制御部１７Ａ」と、「全体制御部１７Ａが起動する前に動作される電源制御部である第２の電源制御部１６Ａ」と、全体制御部１７Ａより早く起動完了する「メインリレー１９のオン／オフ制御、定着器や紙搬送系の制御などを行うエンジン制御部１８」とからなるものとし、
　ＩＣカード１がコネクタ２へ装着されない通常時の電源投入から画像形成可能状態にするまでの時間を短縮できるようにするために、
　定着ヒータ７からなる定着器を「定着ローラ２０と、加熱時間が短時間で済む誘導加熱コイルを用いる定着加熱部２１と、定着ローラ２０を回転するモータ２２とからなるもの」とし、
　感知素子などの回路を、「定着ローラ２０の温度を検知して温度検知信号をエンジン制御部１８に出力する温度センサ２３」とし、
　主電源スイッチを、「操作者の操作により交流電源８からＤＣ電源部１３へのＡＣ電源電力の通電をオン／オフする主電源スイッチ１２」とし、
　「交流電源８から入力されたＡＣの電源電力を変換してそのＤＣの電源出力を第１のＤＣ電源出力として第１の電源制御部１７１及び第２の電源制御部１６Ａに出力するＤＣ電源部１３」と、
　「エンジン制御部１８から入力される制御信号と、交流電源８から入力されるＡＣ電源電力とにより定着加熱部２１を駆動する加熱電力を生成し定着加熱部２１に出力するＡＣ駆動部１４」と、
　「操作パネルなどにおける電源スイッチであり、操作者の操作によりオンされることで起動信号を第１の電源制御部１７１及び第２の電源制御部１６Ａに出力する副電源スイッチ１５」と、
　「交流電源８から入力されるＡＣ電源電力のＡＣ駆動部１４への通電をオン／オフするメインリレー１９」と、
　「複写機の外部カバー（扉）がインターロックされていないか（カバーが空いているか）と、紙詰まりなどとの各種異常とを検知し、その検知信号をエンジン制御部１８及び第２の電源制御部１６Ａに出力する異常検知部２４」と、
　を備え、
　上記モータ２２に、上記ＤＣ電源部１３から第３のＤＣ電源出力が入力されるようにし、
　引用発明２と同様に、
　主電源スイッチ１２がオンされたことをトリガとして、先ず、交流電源８から出力されるＡＣ電源電力がＤＣ電源部１３により変換され、第１の電源制御部１７１及び第２の電源制御部１６Ａに第１のＤＣ電源出力として出力され（ステップＳ１１）、そして、抵抗Ｒを通じた電源ライン電圧Ｖｃｃのハイレベルの入力信号を取込んでＩＣカード１が装着されているか否かが判断され、未装着を認識した場合は、操作者により副電源スイッチ１５がオンされているか否かが判別され（ステップＳ１３）、副電源スイッチ１５がオンされていない場合（ステップＳ１３；ＮＯ）、ステップＳ１３に移行され、副電源スイッチ１５がオンされている場合（ステップＳ１３；ＹＥＳ）、副電源スイッチ１５から起動信号が出力されて第１の電源制御部１７１及び第２の電源制御部１６Ａに入力され、起動信号の入力により第２の電源制御部１６Ａから予め設定された所定の設定条件に基づく電源制御信号が生成及び出力されてＤＣ電源部１３に入力され、電源制御信号の入力により、ＤＣ電源部１３からＤＣの第２のＤＣ電源出力が生成及び出力されて全体制御部１７Ａ及びエンジン制御部１８に入力され（ステップＳ１４）、そして、第２のＤＣ電源出力の入力により、第１の電源制御部１７１を含む全体制御部１７Ａの一部以外の全体制御部１７Ａの残りが起動実行され（ステップＳ１５Ａ）、ステップＳ１５Ａと並行して、第２のＤＣ電源出力の入力によりエンジン制御部１８が起動実行され（ステップＳ１５Ｂ）、ステップＳ１５Ａ及びＳ１５Ｂのうちの少なくとも一方が実行完了されると、全体制御部１７Ａとエンジン制御部１８との間で初期通信が試行され（ステップＳ１６）、そして、全体制御部１７Ａとエンジン制御部１８との両方の起動が実行完了されることを必要とする、全体制御部１７Ａとエンジン制御部１８との間での初期通信が確立したか否かが判別され（ステップＳ１７）、初期通信が確立していない場合（ステップＳ１７；ＮＯ）、ステップＳ１６に移行され、一方、ステップＳ１５Ｂにおけるエンジン制御部１８の起動完了とともに、エンジン制御部１８により、異常検知部２４において、複写機のカバーなどがインターロック状態であり、且つ紙詰まりなどのその他の異常がないことが検知されるか否かか判別され（ステップＳ１８）、全て異常がないと検知されない場合（ステップＳ１８；ＮＯ）、いずれかの異常が検知されており、操作者によりカバーなどが閉じられるインターロック状態までの待機又は異常回復の待機が行われ（ステップＳ１９）、ステップＳ１８に移行され、エンジン制御部１８により、全て異常がないと検知された場合（ステップＳ１８；ＹＥＳ）、異常検知部２４から入力された異常無しの旨の検知信号に基づいて、第２の電源制御部１６Ａにより、電源制御信号が生成及び出力されてＤＣ電源部１３に入力され、そして、第２の電源制御部１６Ａから入力された電源制御信号に基づいて、ＤＣ電源部１３により、第３のＤＣ電源出力が生成されてモータ２２等に入力され（ステップＳ２０）、また、エンジン制御部１８によりメインリレー１９がオンされて、交流電源８から出力されるＡＣ電源電力がＡＣ駆動部１４に入力されるとともに、エンジン制御部１８から制御信号が出力されてＡＣ駆動部１４及びモータ２２等に入力され、ＡＣ電源電力及び制御信号の入力により、ＡＣ駆動部１４からＡＣの加熱電力が生成及び出力されて定着加熱部（誘導コイル）２１に入力され、定着加熱部２１により定着ローラ２０（の加熱ローラ２０Ａ）が加熱されてウォーミングアップされ（ステップＳ２１）、 そして、エンジン制御部１８により、第３のＤＣ電源出力及び制御信号が入力されたモータ２２の予備回転補正等の、全体制御部１７Ａの起動完了を要しない各種予備動作が実行され（ステップＳ２２）、また、初期通信が確立した場合（ステップＳ１７；ＹＥＳ）、全体制御部１７Ａにより、全体制御部１７Ａの起動完了を要する各種予備動作が実行され（ステップＳ２３）、画像形成起動処理を終了して、通常の画像形成動作が可能な状態とすることにより、
　全体制御部１７Ａの起動完了よりも早く定着器６０の通電（加熱）と、全体制御部１７Ａの起動完了を要しない予備動作とが実行でき、全体制御部１７Ａの起動時間の影響を軽減して、電源投入から画像形成可能状態にするまでの時間を短縮し、また、全体制御部１７Ａ及びエンジン制御部１８を並行して起動を開始するので、エンジン制御部１８をより早く起動完了でき、全体制御部１７Ａの起動時間の影響を軽減して、電源投入から画像形成可能状態にするまでの時間をより短縮することは、
　当業者が引用発明２に基づいて容易に想到することができたものである。
　
（３）上記（２）のようになした引用発明１は、前記「メモリモジュール」が前記「メモリスロット」に装着されていないことに加え、異常検知部２４において、複写機のカバーなどがインターロック状態であり、且つ紙詰まりなどのその他の異常がないと検知されること、すなわち、「当該画像形成装置がトラブル状態でないこと」、および、副電源スイッチ１５がオンされ、その結果、副電源スイッチ１５から起動信号が出力されて第１の電源制御部１７１及び第２の電源制御部１６Ａに入力され、起動信号の入力により第２の電源制御部１６Ａから予め設定された所定の設定条件に基づく電源制御信号が生成及び出力されてＤＣ電源部１３に入力され、電源制御信号の入力により、ＤＣ電源部１３からＤＣの第２のＤＣ電源出力が生成及び出力されること、すなわち、「ＤＣ電源装置がオフになっていないこと」を、前記「起動開始条件」に含むものであり、ＩＣカード１の未装着を認識し、副電源スイッチ１５がオンされていると判別され、異常検知部２４において、全て異常がないと検知された場合、すなわち、前記「起動開始条件」が整った状態となったとき、「全体制御部１７Ａとエンジン制御部１８との両方の起動が実行完了されることを必要とする、全体制御部１７Ａとエンジン制御部１８との間での初期通信の確立」を待つことなく、定着加熱部２１により定着ローラ２０（の加熱ローラ２０Ａ）を加熱してウォーミングアップし（ステップＳ２１）、 そして、モータ２２の予備回転補正等の、全体制御部１７Ａの起動完了を要しない各種予備動作を実行する（ステップＳ２２）、すなわち、前記「許可信号生成手段」が「起動許可信号」を出力するものである。
　したがって、引用発明１において、前記「メモリモジュール」が前記「メモリスロット」に装着されていないことに加え、「当該画像形成装置がトラブル状態でないこと」、および、「ＤＣ電源装置がオフになっていないこと」を、前記「起動開始条件」に含ませ、かつ、該「起動開始条件」が整った状態となったときに前記「許可信号生成手段」が「定着器の加熱を含む前記電子写真プロセスのための準備動作を開始させる起動許可信号」を出力するようになすこと、すなわち、引用発明１において、上記相違点１及び２に係る本願発明の構成となすことは、上記（２）からみて、当業者が引用発明２に基づいて容易に想到することができたものである。
　
（４）本願発明の奏する効果は、引用発明１の奏する効果及び引用発明２の奏する効果から当業者が予測することができた程度のことである。
　
（５）以上のとおりであるから、本願発明は、当業者が引用例１に記載された発明及び引用例２に記載された発明に基づいて容易に発明をすることができたものである。
　
６　むすび
　本願発明は、当業者が引用例１に記載された発明及び引用例２に記載された発明に基づいて容易に発明をすることができたものであるから、特許法第２９条第２項の規定により特許を受けることができない。
　よって、結論のとおり審決する。